(57)【特許請求の範囲】
【請求項１】
導電性繊維の芯糸を流体が含浸可能な繊維質の絶縁体で被った構造の導電糸が複数本互いに平行に並べて形成された導電糸域と、絶縁体製の絶縁糸が複数本互いに平行に並べて形成された絶縁糸域とが交互に複数平行に並ぶように織り込まれ、互いに交差するように配置された前記導電糸域同士が互いに交差した領域で圧力センサの感圧部が構成され、該感圧部に加えられる圧力変化を電気信号に変換するため、感圧部を構成する前記導電糸域の各導電糸が検出回路に電気的に接続される導電性織物であって、
互いに平行な複数の前記導電糸域の各導電糸を互いに電気的に接続するように、導電性を備え、且つ前記導電糸の絶縁体内に含浸して前記芯糸と電気的に導通する性質を備えた導電性流体を前記各導電糸に跨って塗布して電極を構成し、この電極を介して前記検出回路に接続可能とした導電性織物。
【請求項２】
請求項１に記載の導電性織物において、
前記検出回路に接続されるべき前記複数本の導電糸に交差させて、該導電糸と同じ構造の接続用導電糸を設け、該接続用導電糸の外表面に前記導電性流体を塗布して、前記複数本の導電糸と前記接続用導電糸とを電気的に接続する導電性織物。
【請求項３】
請求項１又は２に記載の導電性織物を使用した圧力センサであって、
複数の前記感圧部に加えられる圧力変化に応じたインピーダンスの変化を、前記導電性流体の電極を介して接続された前記検出回路によって電気信号に変換して前記圧力変化を検出する圧力センサ。
【請求項４】
請求項３に記載の導電性織物を使用した圧力センサにおいて、
前記導電性織物の感圧表面を複数の領域に分割し、
各領域毎に独立して圧力を検出可能とするように、各領域に対応する前記導電糸域毎に独立して前記導電性流体が塗布される圧力センサ。
【請求項５】
請求項３又は４に記載の導電性織物を使用した圧力センサにおいて、
前記導電性織物は、呼吸状態を検出されるべき横臥状態の被検者の呼吸器官に対応する部位に設けられ、
前記被検者の呼吸に伴う各感圧部の受ける圧力変化に基づいて前記検出回路によって前記被検者の呼吸信号を抽出する圧力センサ。
【請求項６】
請求項３又は４に記載の導電性織物を使用した圧力センサにおいて、
前記導電性織物は、心拍状態を検出されるべき横臥状態の前記被検者の循環器官に対応する部位に設けられ、
前記被検者の心拍に伴う各感圧部の受ける圧力変化に基づいて前記検出回路によって前記被検者の心拍信号を抽出する圧力センサ。
【発明の詳細な説明】
【技術分野】
【０００１】
この発明は、導電性繊維の芯糸を繊維質の絶縁体で被った構造の導電糸が織り込まれ、圧力センサとして用いられる導電性織物、及びその導電性織物を使用した圧力センサに関する。
【背景技術】
【０００２】
係る導電性織物を圧力センサとして使用するものが下記特許文献１に開示されている。係る圧力センサにおいては、導電性織物を構成する導電糸同士が交差する部分を感圧部とされている。導電性織物内には複数の感圧部が設けられ、各感圧部毎に独立して圧力を検出可能としている。
【先行技術文献】
【特許文献】
【０００３】
【特許文献１】特開２０１１−１０２４５７号公報
【発明の概要】
【発明が解決しようとする課題】
【０００４】
一方、広範囲の圧力を検出する必要がある場合もあり、その場合、感圧部の数も多くなり、導電性織物に加えられた圧力を電気信号に変換するための検出回路に各感圧部を電気的に接続するための接続箇所が多くなり、接続作業が煩雑となる問題がある。
【０００５】
そこで、本発明が解決しようとする課題は、導電糸同士が交差する部分を圧力センサの感圧部とする導電性織物であって、感圧部に加えられる圧力を検出回路にて電気信号に変換するため、感圧部に対応する導電糸を検出回路に接続するものにおいて、複数の感圧部に対応する導電糸を一括して検出回路に電気接続することにより、複数の感圧部に対応する導電糸を一つひとつ検出回路に接続する作業を不要として、複数の感圧部に対応する導電糸を検出回路に電気接続するための作業性を改善することである。
【課題を解決するための手段】
【０００６】
第１発明は、導電性繊維の芯糸を繊維質の絶縁体で被った構造の導電糸が複数本互いに平行に並べて形成された導電糸域と、絶縁体製の絶縁糸が複数本互いに平行に並べて形成された絶縁糸域とが交互に複数平行に並ぶように織り込まれ、互いに交差するように配置された前記導電糸域同士が互いに交差した領域で圧力センサの感圧部が構成され、該感圧部に加えられる圧力変化を電気信号に変換するため、感圧部を構成する前記導電糸域の各導電糸が検出回路に電気的に接続される導電性織物であって、互いに平行な複数の前記導電糸域の各導電糸を互いに電気的に接続するように、導電性を備え、且つ前記導電糸の絶縁体内に含浸して前記芯糸と電気的に導通する性質を備えた導電性流体を塗布して電極を構成し、この電極を介して前記検出回路に接続可能とした。
【０００７】
第１発明によれば、検出回路に接続されるべき複数の導電糸域の各導電糸が導電性流体によって互いに電気接続される。各導電糸は、導電性繊維の芯糸が繊維質の絶縁体によって被われているが、導電性流体は各導電糸の絶縁体の繊維質に含浸して導電性繊維の芯糸と電気的に接触し、各導電糸を互いに電気接続する。そして、導電性流体による電極が検出回路に接続可能とされる。そのため、複数の導電糸を検出回路に接続するに当たって、導電糸域の各導電糸の外表面に跨って導電性流体を塗布するのみで、導電糸域の各導電糸を互いに電気接続して検出回路に一括して電気接続することができる。従って、導電糸域の各導電糸を一つひとつ検出回路に接続する作業は不要となり、作業性を改善することができ、圧力センサとしての生産性を改善することができる。
【０００８】
また、導電糸と絶縁糸域とが交互に並ぶように織り込まれて導電性織物が構成されるため、絶縁糸なしで全体が導電糸によって構成される導電性織物に比べて導電糸の使用量を減らすことができ、低コスト化を図ることができる。
【０００９】
更に、導電性流体を塗布する長さを変えることによって導電性織物の感圧領域の大きさを任意に変更することができる。そのため、人体の呼吸や心拍のような比較的広い面積の微弱な圧力変化を検出したいニーズにも容易に対応することができる。比較的広い面積の微弱な圧力変化を検出する場合、導電性織物から得られる信号変化量が大きくなり、外乱ノイズの影響を受け難くなる。
【００１０】
第２発明は、上記第１発明の導電性織物において、前記検出回路に接続されるべき前記複数本の導電糸に交差させて、該導電糸と同じ構造の接続用導電糸を設け、該接続用導電糸の外表面に前記導電性流体を塗布して、前記複数本の導電糸と前記接続用導電糸とを電気的に接続する。
【００１１】
第２発明によれば、接続用導電糸に塗布された導電性流体は、接続用導電糸と検出回路に接続されるべき複数の導電糸の両方の絶縁体に含浸して、それぞれを電気的に接続する。そのため、導電性流体による接続に加えて接続用導電糸によっても複数の導電糸は接続されることになり、接続の信頼性を高めることができる。即ち、導電性流体による接続のみの場合、導電性織物が繰り返し折り曲げられる状況で、固化された導電性流体がひび割れして電気的接続が不安定になる可能性がある。しかし、第２発明によれば、接続用導電糸によっても各導電糸間の接続が行われているため、ひび割れが抑制されると共に、ひび割れが生じても複数の導電糸を交差する方向の接続は接続用導電糸によって確保される。
【００１２】
なお、一部の導電糸域の導電糸を接続用導電糸として使用することもできる。その場合、接続用導電糸を構成するために導電性織物の織り方を変更する必要をなくすことができる。
【００１３】
第３発明は、上記第１又は第２発明の導電性織物を使用した圧力センサであって、複数の前記感圧部に加えられる圧力変化に応じたインピーダンスの変化を、前記導電性流体の電極を介して接続された前記検出回路によって電気信号に変換して前記圧力変化を検出する。
【００１４】
第３発明によれば、導電性流体の電極を介して検出回路に接続された導電糸によって導電性織物の感圧部が構成され、その導電性織物の感圧部に接触する物体の圧力変化を検出することができる。
【００１５】
第４発明は、上記第３発明の導電性織物を使用した圧力センサにおいて、前記導電性織物の感圧表面を複数の領域に分割し、各領域毎に独立して圧力を検出可能とするように、各領域に対応する前記導電糸域毎に独立して前記導電性流体が塗布される。
【００１６】
第４発明によれば、導電性流体を塗布する長さや位置を適宜選定することによって、一枚の導電性織物の感圧部を適宜大きさ及び形状の複数の圧力センサとして使い分けることができる。
【００１７】
第５発明は、上記第３又は第４発明の導電性織物を使用した圧力センサにおいて、前記導電性織物は、呼吸状態を検出されるべき横臥状態の被検者の呼吸器官に対応する部位に設けられ、前記被検者の呼吸に伴う各感圧部の受ける圧力変化に基づいて前記検出回路によって前記被検者の呼吸信号を抽出する。
【００１８】
第５発明によれば、導電性織物を被検者の呼吸信号を検出するための圧力センサとして使用することができる。
【００１９】
第６発明は、上記第３又は第４発明の導電性織物を使用した圧力センサにおいて、前記導電性織物は、心拍状態を検出されるべき横臥状態の前記被検者の循環器官に対応する部位に設けられ、前記被検者の心拍に伴う各感圧部の受ける圧力変化に基づいて前記検出回路によって前記被検者の心拍信号を抽出する。
【００２０】
第６発明によれば、導電性織物を被検者の心拍信号を検出するための圧力センサとして使用することができる。
【図面の簡単な説明】
【００２１】
【図１】本発明の一実施形態における導電性織物を写真で示す図である。
【図２】上記実施形態の導電性織物の構造を説明する図である。
【図３】上記実施形態の導電性織物の織り方の第１例を説明する図である。
【図４】上記実施形態の導電性織物の織り方の第２例を説明する図である。
【図５】図４で示す織り方による導電性織物の正面図である。
【図６】図５のＶＩ−ＶＩ線断面拡大図である。
【図７】上記実施形態の導電性織物を圧力センサとして使用した第１使用例を説明する平面図である。
【図８】図７と同様の第１使用例を説明する部分断面側面図である。
【図９】上記実施形態の導電性織物を使用した圧力センサの検出信号例であり、被検者の呼吸の計測結果を示すグラフである。
【図１０】上記実施形態の導電性織物を使用した圧力センサの検出信号例であり、被検者の心拍の計測結果を示すグラフである。
【図１１】上記実施形態の導電性織物を圧力センサとして使用した第２使用例を説明する平面図である。
【発明を実施するための形態】
【００２２】
図１、２は本発明の一実施形態を示す。この実施形態の導電性織物１０は、導電性繊維の芯糸を絶縁性の鞘糸（本発明における「繊維質の絶縁体」に相当）で被った構造の導電糸を含む縦糸と、同様の構造の導電糸を含む横糸とを使って織り込んで織物部１１が構成され、この織物部１１の縦端部と横端部にそれぞれ導電ペースト（本発明における導電性流体に相当）１２、１３が塗布されて成る。
【００２３】
図３は、織物部１１の織り方の第１例を示している。ここでは、織物部１１の縦糸は、縦方向に延びる複数本の導電糸を横方向に並べた導電糸域１１２ａと、縦方向に延びる複数本の絶縁糸を横方向に並べた絶縁糸域１１１ａとが、横方向に交互に並べられた構成とされている。一方、織物部１１の横糸は、横方向に延びる複数本の導電糸を縦方向に並べた導電糸域１１２ｂと、横方向に延びる複数本の絶縁糸を縦方向に並べた絶縁糸域１１１ｂとが、縦方向に交互に並べられた構成とされている。そして、導電糸域１１２ａが絶縁糸域１１１ａにより分離された縦糸と、導電糸域１１２ｂが絶縁糸域１１１ｂにより分離された横糸とが織り合わされて平織物に形成されており、織物部１１は、導電糸域１１２ａ、１１２ｂが絶縁糸域１１１ａ、１１１ｂにより分離された間引き織り構造を有している。そして、導電糸域１１２ａと導電糸域１１２ｂの交差位置で、縦糸の導電糸と横糸の導電糸が織り合わされたセル１１３が形成されている。ここでは、導電糸として、芯糸に日本蚕毛染色製のサンダーロン糸（１６７Ｔ／６０、２本撚り）、鞘糸にポリエステル糸（１５０Ｔ／４８）を使用したカバリング糸を使用している。そして、絶縁糸としては、ポリエステル糸（縦糸２０／２、横糸６０／２）を使用している。
【００２４】
なお、絶縁糸については、ナイロン、レーヨン、ポリビニルアルコール、ポリアクリロニトリル、ポリプロピレン、ポリエチレン、ポリウレタン等の合成繊維を用いても良く、天然繊維のウールを用いても良い。また、導電糸の芯糸については、銅、アルミ、鉄、ステンレス、ニクロム、金、銀、チタンニッケル合金等の金属繊維、ＰＡＮ系、ピッチ系の炭素繊維を用いても良い。若しくは、絶縁糸に使用するポリエステル、ナイロン、レーヨン等の樹脂に導電成分としてカーボン、グラファイト、カーボンナノチューブ等を混練後に紡糸した糸を用いることもできる。更には、絶縁糸の表面に導電成分として銅、アルミ、銀、金等を金属メッキ手法により被覆した糸を用いることもできる。
【００２５】
織物部１１における縦方向の各導電糸域１１２ａの各縦糸の端部は、導電ペースト１２によって電気的に接続されている。即ち、対応する位置にある横方向の一つの導電糸域１１２ｂの各導電糸（本発明における接続用導電糸に相当）には導電ペースト１２が塗布されており、そのため、導電ペースト１２は各導電糸域１１２ａ、１１２ｂの各鞘糸に含浸し、鞘糸に被われた芯糸が導電ペースト１２に電気接続されている。その結果、導電糸域１１２ｂの各導電糸及び導電ペースト１２は、縦方向の各導電糸域１１２ａの各導電糸を接続した電極となる。ここでは、導電ペースト１２として藤倉化成製のカーボンペーストであるＸＣ−３２を使用した。この導電ペースト１２は、常温で速乾性を有し、導電性織物１０を圧力センサの感圧部として使用する際は、導電ペースト１２による電極は固化した状態とされる。
【００２６】
導電ペースト１２に代えて、導電性流体としては各種のものが使用可能である。例えば、導電インク、導電塗料、導電接着剤、導電ポリマー、ホットメルトタイプの導電材料などがある。これらの導電性流体に導電性を持たせるための材料としては、金、金ナノ粒子、白金、パラジウム、銀、銀ナノ粒子、銅、銅ナノ粒子、ニッケル、カーボン、カーボンナノチューブなど、又はそれら材料をブレンドしたもの、若しくは金属材料による合金がある。
【００２７】
一方、織物部１１における横方向の各導電糸域１１２ｂの各横糸の端部は、導電ペースト１３によって電気的に接続されている。即ち、対応する位置にある縦方向の一つの導電糸域１１２ａの各導電糸（本発明における接続用導電糸に相当）には導電ペースト１３が塗布されており、そのため、導電ペースト１３は各導電糸域１１２ａ、１１２ｂの各鞘糸に含浸し、鞘糸に被われた芯糸が導電ペースト１３に電気接続されている。その結果、導電糸域１１２ａの各導電糸及び導電ペースト１３は、横方向の各導電糸域１１２ｂの各導電糸を接続した電極となる。ここでは、導電ペースト１３として導電ペースト１２と同様のものを使用した。なお、図２及び図３では、導電ペースト１２、１３が塗布された各導電糸域１１２ａ、１１２ｂの導電糸同士間は互いに分離されているように見えるが、これは図示の都合上そのように見えるのみで、実際にはそれらの導電糸同士間は塗布された導電ペースト１２、１３により電気的に接続された状態とされている。
【００２８】
図１、２のように、導電ペースト１２と導電ペースト１３とが互いに電気的に接触しないように、導電ペースト１２と導電ペースト１３とが互いに接近する位置である織物部１１の角部において、導電ペースト１２、１３が塗布された導電糸域１１２ａと導電糸域１１２ｂは切り取られている。このようにして互いに離間し、互いに隣接した導電ペースト１２と導電ペースト１３の各電極の端部にはリングスナップ１４、１５が結合されており、これらリングスナップ１４、１５を介して検出回路２０が接続されている。リングスナップ１４、１５は、雄雌嵌合型の一方が導電ペースト１２、１３の各電極の各端部に結合され、雄雌嵌合型の他方が検出回路２０からの配線の各端部に結合されている。そのため、導電性織物１０への検出回路２０の接続をリングスナップ１４、１５の雄雌嵌合によって容易に行うことができる。但し、導電性織物１０への検出回路２０の接続はリングスナップ１４、１５の雄雌嵌合に限定されない。例えば、カシメ、ハトメ、フック、リベット、ネジ止め、ボルト止め等にて接続してもよい。
【００２９】
以上のように構成された導電性織物１０の織物部１１に外部から圧力が加えられると、セル１１３における各導電糸域１１２ａ、１１２ｂの各導電糸間の静電容量が加えられた圧力に応じて変化する。そのため、導電ペースト１２、１３の各電極及びリングスナップ１４、１５を介して接続された検出回路２０は静電容量の変化を電気信号の変化に変換して出力する。
【００３０】
図４〜６は、織物部１１の織り方の第２例を示している。ここでは、導電性織物１０は、上述の第１例と同様に導電糸が織り込まれた導電布２枚（上布１２１と下布１２２）が上下に面合わせに重ね合わされて、一般的な絶縁糸で結束して結合されている。具体的には、上布１２１及び下布１２２の２枚の導電布は、導電糸域１２３ａ、１２６ａと導電糸域１２３ｂ、１２６ｂとが互いに交差するセル１２４が上下に重ね合わされて、セル１２４部分を除く、導電糸域１２３ａ、１２３ｂ、１２６ａ、１２６ｂ及び絶縁糸域１２２ａ、１２２ｂ、１２５ａ、１２５ｂでは、上布１２１と下布１２２との間の隙間を無くすように絶縁糸により結合されている。そのため、セル１２４部分では、上布１２１と下布１２２との間に成り行きで隙間が形成されている。なお、図４は上布１２１と下布１２２とが重ね合わされる前の状態を示し、図５は上布１２１と下布１２２とが上下に面合わせに重ね合わされた状態を示している。
【００３１】
図６には、セル１２４において、導電糸域１２３ａ、１２３ｂ、１２６ａ、１２６ｂの導電糸同士が平織された導電布同士が上下に重ね合わされ、セル１２４の両側に隣接する領域１２７では、導電糸域１２３ａ、１２６ａの導電糸と絶縁糸域１２２ｂ、１２５ｂの絶縁糸とが平織された導電布同士が上下に重ね合わされ、更に絶縁糸１２８で両布が結束された様子が示されている。
【００３２】
第２例の織り方の織物部１１を導電性織物１０とする場合は、織物部１１における上布１２１及び下布１２２の縦方向の各導電糸域１２３ａ、１２６ａの各縦糸の端部は、導電ペースト１２によって電気的に接続される。即ち、対応する位置にある横方向の一つの導電糸域１２３ｂの各導電糸（本発明における接続用導電糸に相当）には導電ペースト１２が塗布される。このとき、導電ペースト１２は上布１２１の各導電糸域１２３ａ、１２３ｂの各鞘糸に含浸し、鞘糸に被われた芯糸が導電ペースト１２に電気接続される。また、導電ペースト１２は下布１２２の各導電糸域１２６ａ、１２６ｂの各鞘糸にまで含浸し、鞘糸に被われた芯糸が導電ペースト１２に電気接続される。その結果、導電糸域１２３ｂの各導電糸及び導電糸域１２６ｂの各導電糸（本発明における接続用導電糸に相当）、並びに導電ペースト１２は、縦方向の各導電糸域１２３ａ、１２６ａの各導電糸を接続した電極となる。
【００３３】
一方、織物部１１における上布１２１及び下布１２２の横方向の各導電糸域１２３ｂ、１２６ｂの各横糸の端部は、導電ペースト１３によって電気的に接続される。即ち、対応する位置にある縦方向の一つの導電糸域１２３ａの各導電糸（本発明における接続用導電糸に相当）には導電ペースト１３が塗布される。このとき、導電ペースト１３は各導電糸域１２３ａ、１２３ｂの各鞘糸に含浸し、鞘糸に被われた芯糸が導電ペースト１３に電気接続される。また、導電ペースト１３は下布１２２の各導電糸域１２６ａ、１２６ｂの各鞘糸にまで含浸し、鞘糸に被われた芯糸が導電ペースト１３に電気接続される。その結果、導電糸域１２３ａの各導電糸及び導電糸域１２６ａの各導電糸（本発明における接続用導電糸に相当）、並びに導電ペースト１３は、横方向の各導電糸域１２３ｂ、１２６ｂの各導電糸を接続した電極となる。
【００３４】
以上のように第２例の織り方で構成された導電性織物１０の織物部１１に外部から圧力が加えられると、セル１２４における上布１２１側の導電糸域１２３ａ、１２３ｂの各導電糸間の静電容量、並びに下布１２２側の導電糸域１２６ａ、１２６ｂの各導電糸間の静電容量が、加えられた圧力に応じて変化する。この場合、導電ペースト１２による電極と導電ペースト１３による電極との間に、上布１２１側のコンデンサと下布１２２側のコンデンサとが並列接続されることになる。そのため、導電ペースト１２、１３の各電極及びリングスナップ１４、１５を介して接続された検出回路２０にて計測される静電容量の変化は、第１例の織り方で構成された導電性織物１０の場合に比べて大きくなり、外部からの圧力変化を高感度に電気信号の変化に変換して出力することができる。
【００３５】
以上の第１例及び第２例の織り方から成る導電性織物１０によれば、検出回路２０に接続されるべき複数の導電糸が導電ペースト１２、１３によって互いに電気接続される。そして、導電ペースト１２、１３が検出回路２０に接続されるための電極とされる。そのため、複数の導電糸を検出回路２０に接続するに当たって、複数本の導電糸の外表面に跨って導電ペースト１２、１３を塗布するのみで、複数本の導電糸を互いに電気接続して検出回路２０に接続することができる。従って、複数の導電糸を一つひとつ電極板に接続する作業は不要となり、作業性を改善することができ、圧力センサの生産性を改善することができる。
【００３６】
しかも、第１例及び第２例の織り方による導電性織物１０では、導電ペースト１２、１３を一組の電極として、その間にコンデンサが接続された構成とされ、その静電容量変化を検出回路２０で受けて、導電性織物１０に受けた圧力変化を検出する。そのため、検出信号のサンプリング速度を高速化することができ、回路構成を単純化及び小型化することができる。即ち、検出対象は一組の電極間に接続された静電容量のみであるため、検出のために検出対象を切り替える必要はなく、その切り替えのためのスイッチングシステムも不要となり、検出の高速化と回路の単純化及び小型化を図ることができる。
【００３７】
また、導電ペースト１２、１３を塗布する長さを変えることによって導電性織物１０の感圧領域の大きさを任意に変更することができる。そのため、人体の呼吸や心拍のような比較的広い面積の微弱な圧力変化を検出したいニーズにも容易に対応することができる。比較的広い面積の微弱な圧力変化を検出する場合、導電性織物１０から得られる信号変化量が大きくなり、外乱ノイズの影響を受け難くなる。
【００３８】
また、第１例及び第２例の織り方による導電性織物１０の織物部１１は、導電糸域１１２ａ、１１２ｂ、１２３ａ、１２３ｂ、１２６ａ、１２６ｂが絶縁糸域１１１ａ、１１１ｂ、１２２ａ、１２２ｂ、１２５ａ、１２５ｂにより分離された間引き織り構造とされている。そして、導電糸域１１２ｂ、１２３ｂの各導電糸に導電ペースト１２が塗布され、導電糸域１１２ａ、１２３ａの各導電糸に導電ペースト１３が塗布されている。そのため、導電ペースト１２は、接続用導電糸として機能する導電糸域１１２ｂ、１２３ｂ、１２６ｂの各導電糸と、検出回路２０に接続されるべき導電糸域１１２ａ、１２３ａ、１２６ａの各導電糸の両方の鞘糸に含浸して、それぞれを電気的に接続する。また、導電ペースト１３は、接続用導電糸として機能する導電糸域１１２ａ、１２３ａ、１２６ａの各導電糸と、検出回路２０に接続されるべき導電糸域１１２ｂ、１２３ｂ、１２６ｂの各導電糸の両方の鞘糸に含浸して、それぞれを電気的に接続する。そのため、導電ペースト１２、１３による接続に加えて接続用導電糸（導電糸域１１２ｂ、１２３ｂ、１２６ｂの各導電糸、及び導電糸域１１２ａ、１２３ａ、１２６ａの各導電糸）によっても、検出回路２０に接続されるべき複数の導電糸（導電糸域１１２ａ、１２３ａ、１２６ａの各導電糸、及び導電糸域１１２ｂ、１２３ｂ、１２６ｂの各導電糸）は接続されることになり、接続の信頼性を高めることができる。即ち、導電ペースト１２、１３による接続のみの場合、導電性織物１０が繰り返し折り曲げられる状況で、導電ペースト１２、１３がひび割れして電気的接続が不安定になる可能性がある。しかし、上記実施形態によれば、接続用導電糸によっても検出回路２０に接続されるべき複数の導電糸間の接続が行われているため、ひび割れが抑制されると共に、ひび割れが生じても複数の導電糸を交差する方向の接続は接続用導電糸によって確保される。
【００３９】
しかも、接続用導電糸として特別な糸を用意しなくても、圧力センサの感圧部を成す導電性織物１０の導電糸の一部を接続用導電糸として使用するため、接続用導電糸を構成するために導電性織物１０の織り方を変更する必要をなくすことができる。また、導電性織物１０の織物部１１は、導電糸域１１２ａ、１１２ｂ、１２３ａ、１２３ｂ、１２６ａ、１２６ｂが絶縁糸域１１１ａ、１１１ｂ、１２２ａ、１２２ｂ、１２５ａ、１２５ｂにより分離された間引き織り構造とされ、導電糸域と絶縁糸域とが交互に並ぶように織り込まれて構成されるため、絶縁糸なしで全体が導電糸によって構成される導電性織物に比べて導電糸の使用量を減らすことができ、低コスト化を図ることができる。
【００４０】
更に、上述のように導電ペースト１２、１３の塗布長を長くすることにより導電性織物１０の面積を大きくすることができるが、織物部１１を間引き織り構造とすることにより、織物部１１の中でも実際に感圧部として機能する部位である導電糸域１１２ａ、１２３ａ、１２６ａと導電糸域１１２ｂ、１２３ｂ、１２６ｂとの交差部（セル１１３、１２４）が、格子状に分散して形成されるため、導電糸の量を減らして低コスト化を図りながら感圧部としての広がりの大きさは確保することができる。
【００４１】
なお、上述した固化後の導電ペースト１２、１３のひび割れへの対応に関しては、上述のように接続用導電糸を用いることの他に、導電ペースト１２、１３の成分を調整することにより固化部分のひび割れを抑制することもできる。即ち、導電ペースト１２、１３における接着成分の架橋度を高めてひび割れの生じ難いものとすることである。
【００４２】
図７、８は、呼吸、心拍等の生体情報を計測される被検者としての人Ｐが横臥する際の敷物としてのマットレス３０とカバーとしてのマットレスパッド４０との間に導電性織物１０を挟み、この導電性織物１０を、人Ｐの呼吸や心拍の様子を計測可能とした圧力センサとした第１使用例を示している。ここでは、導電性織物１０は、人Ｐの胴体全体を支える位置に配置されている。
【００４３】
図９、１０は、図７、８にて示した圧力センサによって計測される人Ｐの呼吸の様子と心拍の様子を示している。この場合、人Ｐは仰向けに寝た状態で、それぞれ計測されている。図９、１０から明らかなように、マットレス３０とマットレスパッド４０との間に挟まれた導電性織物１０を使用した圧力センサによって、その上に仰向けに寝た人Ｐの呼吸（図９参照）及び心拍（図１０参照）の様子を計測することができる。
【００４４】
具体的には、マットレス３０としては、パラマウント社製のＫＥ−５２１Ａ、マットレスパッド４０としては、パラマウント社製のＫＥ−０３０、検出回路としては、日置電機社製のＩＭ３５７０を使用することができる。
【００４５】
図１１は、導電性織物を使用した圧力センサの第２使用例を示す。第２使用例が第１使用例に対して特徴とする点は、導電性織物１０の感圧表面を複数の領域に分割し、一つの導電性織物１０を使用して複数の圧力センサを構成した点である。第２使用例においても、図７、８の第１使用例と同様、マットレス３０とマットレスパッド４０との間に導電性織物１０を挟んで構成されているが、図１１では、マットレスパッド４０を除いた状態で導電性織物１０を示している。
【００４６】
図１１では、導電性織物１０の感圧表面を、被検者としての人Ｐの頭部に対応する領域１０ｅと、人Ｐの上体に対応する領域１０ｈと、人Ｐの下肢に対応する領域１０ｋと、それらの領域１０ｅ、１０ｈ、１０ｋの周辺の領域１０ａ、１０ｂ、１０ｃ、１０ｄ、１０ｆ、１０ｇ、１０ｉ、１０ｊ、１０ｌ、１０ｍ、１０ｎ、１０ｏとに分割している。周辺の領域１０ａ、１０ｂ、１０ｃ、１０ｄ、１０ｆ、１０ｇ、１０ｉ、１０ｊ、１０ｌ、１０ｍ、１０ｎ、１０ｏは、領域１０ｅ、１０ｈ、１０ｋに対してどの方向にあるかによって複数の領域に分けられている。
【００４７】
領域１０ｅでは、人Ｐの頭部の位置を検出し、領域１０ｈでは、人Ｐの呼吸、心拍等の生体信号を検出し、領域１０ｋでは、人Ｐの下肢の位置を検出する。また、領域１０ａ、１０ｂ、１０ｃ、１０ｄ、１０ｆ、１０ｇ、１０ｉ、１０ｊ、１０ｌ、１０ｍ、１０ｎ、１０ｏでは、人Ｐのマットレス３０中央からのずれを検出する。
【００４８】
このように導電性織物１０の感圧表面を複数の領域に分割するため、各領域の導電性織物１０の各導電糸域１１２ａ、１２３ａ、１２６ａ、１１２ｂ、１２３ｂ、１２６ｂに対応させて導電ペースト１２ａ〜１２ｃ、１３ａ〜１３ｅが塗布されている。そして、各導電ペースト１２ａ〜１２ｃ、１３ａ〜１３ｅは電極とされて検出回路２０に接続されている。
【００４９】
以上の構成により、導電性織物１０の領域１０ｈにおける感圧部の静電容量の変化を導電ペースト１２ｂ、１３ｃの各電極を介して検出回路２０により検出して、人Ｐの呼吸、心拍等の生体信号を検出することができる。また、導電性織物１０の領域１０ｅ及び領域１０ｋにおける感圧部の静電容量の変化を導電ペースト１２ｂ、１３ｂ及び導電ペースト１２ｂ、１３ｄの各電極を介して検出回路２０によりそれぞれ検出して、人Ｐがマットレス３０から離れたか否かを検出することができる。更に、導電性織物１０の領域１０ａ、１０ｂ、１０ｃ、１０ｄ、１０ｆ、１０ｇ、１０ｉ、１０ｊ、１０ｌ、１０ｍ、１０ｎ、１０ｏにおける感圧部の静電容量の変化を導電ペースト１２ａ〜１２ｃ、１３ａ〜１３ｅの各電極を介して検出回路２０により検出して、人Ｐのマットレス３０中央からのずれを検出することができる。例えば、人Ｐがマットレス３０の上方へ移動すると、領域１０ｂにおける感圧部の静電容量の変化が導電ペースト１２ｂ、１３ａの各電極を介して検出回路２０により検出される。人Ｐがマットレス３０の下方へ移動すると、領域１０ｎにおける感圧部の静電容量の変化が導電ペースト１２ｂ、１３ｅの各電極を介して検出回路２０により検出される。また、人Ｐがマットレス３０の左方へ移動すると、領域１０ｆ、１０ｉ、１０ｌにおける感圧部の静電容量の変化が導電ペースト１２ｃ、１３ｂ及び導電ペースト１２ｃ、１３ｃ並びに導電ペースト１２ｃ、１３ｄの各電極を介して検出回路２０により検出される。
【００５０】
従って、第２使用例によれば、一枚の導電性織物１０を使った圧力センサによって、人Ｐの呼吸、心拍等の生体信号の検出の他、人Ｐがマットレス３０から離れたか否か、また、人Ｐがマットレス３０からずれ落ちそうになっているか否かを検出することができる。
【００５１】
このように第２使用例によれば、導電ペースト１２ａ〜１２ｃ、１３ａ〜１３ｄを塗布する長さや位置を適宜選定することによって、一枚の導電性織物１０の感圧部を適宜大きさ及び形状の複数の圧力センサとして使い分けることができる。
【００５２】
以上、特定の実施形態について説明したが、本発明は、それらの外観、構成に限定されず、本発明の要旨を変更しない範囲で種々の変更、追加、削除が可能である。例えば、次のような変形例が考えられる。
【００５３】
１．上記実施形態における導電性織物では、導電糸域が絶縁糸域により分離された間引き織り構造とされたが、縦糸のみを導電糸域と絶縁糸域とが交互に並ぶ構造とし、横糸は導電糸のみによって構成した織物としてもよい。また、各種構造の織物を採用でき、織物の織り方についても、平織に限らず、綾織、朱子織など各種のものが採用できる。
【００５４】
２．上記実施形態における織物部の第２例の織り方では、導電布が２枚重ねられた２重織としたが、３重織、４重織のような多重織とすることができる。
【００５５】
３．圧力センサとしては、人の生体情報を計測するものに限らず、各種の圧力センサとして活用することができる。
【符号の説明】
【００５６】
１０    導電性織物
１０ａ〜１０ｏ  領域
１１    織物部
１１１ａ、１１１ｂ、１２２ａ、１２２ｂ、１２５ａ、１２５ｂ  絶縁糸域
１１２ａ、１１２ｂ、１２３ａ、１２３ｂ、１２６ａ、１２６ｂ  導電糸域
１１３、１２４  セル
１２１  上布
１２２  下布
１２７  領域
１２８  絶縁糸
１２、１３、１２ａ〜１２ｃ、１３ａ〜１３ｅ  導電ペースト（導電性流体）
１４、１５  リングスナップ
２０    検出回路
３０    マットレス（敷物）
４０    マットレスパッド
【図１】
0006572420.tif 000002
【図２】
0006572420.tif 000003
【図３】
0006572420.tif 000004
【図４】
0006572420.tif 000005
【図５】
0006572420.tif 000006
【図６】
0006572420.tif 000007
【図７】
0006572420.tif 000008
【図８】
0006572420.tif 000009
【図９】
0006572420.tif 000010
【図１０】
0006572420.tif 000011
【図１１】
0006572420.tif 000012